(57)【特許請求の範囲】
【請求項１】
綴じ合わされた表紙と本文との間に見開きからなる月間新譜情報掲載用の台紙が設けられ、該台紙に新譜情報を記載した複数枚の新譜情報記載シートが配されているカラオケ選曲用目次本を作成するにあたり、
前記新譜情報記載シートは、それぞれ台紙綴じ元側となる辺に沿った裏面に帯状の粘着剤が施されていて、前記粘着剤の辺が重なるようにして最下位から掲載月情報の順にして新譜情報記載シートを重ね合わせたときの粘着剤の辺とは反対側の辺が階段状に表出し、該表出部分に掲載月情報が表示されていて、前記掲載月情報による重ね合わせ順で最下位となる新譜情報記載シートを、該シートの粘着剤側の辺を台紙の綴じ元側にして粘着剤により台紙に貼り合わせた後、掲載月情報の順で、下位の新譜情報記載シートの粘着剤側の辺に上位の新譜情報記載シートの粘着剤側の辺を粘着剤を介して重ねて貼り合わせるようにして、前記最下位の新譜情報記載シートの上に順次、新譜情報記載シートを綴じることを特徴とするカラオケ選曲用目次本の作成方法。
【発明の詳細な説明】
【０００１】
【発明の属する技術分野】
本発明はカラオケ選曲用目次本の作成方法に関するものである。
【０００２】
【発明が解決しようとする課題】
従来から、カラオケと称される伴奏装置を用いて歌を楽しむ場合、曲名、歌い出しの歌詞、歌手名、リクエスト番号などを記載したカラオケ選曲用目次本を用いて選曲を行なっている。また、昨今においては、カラオケボックスという個室型の娯楽設備も多く提供され、特にカラオケボックスでの音楽配信が高速通信網を利用したものであり、新譜が発表されてから配信されるまでの期間が短いことなどからも人気を得るようになってきている。
【０００３】
ところで、新譜はつぎつきと発表されているのが現状であり、カラオケボックス利用者もその新譜を好む傾向がある。このようなことから、カラオケ選曲用目次本においては、数ヶ月ごとに掲載内容を新しくしたものを発行しているとともに、目次本の新刊が発行される期間内の新譜にも対応できるように、その目次本の所要個所に新譜情報掲載用の台紙を数頁分設けておき、例えば月間の新譜情報を記載した新譜情報記載シートをその台紙頁に貼り付けており、新譜情報記録シートが配布されるごとに貼り付ける台紙を変えるようにしている。
しかしながら、カラオケボックス一店舗当たりの部屋数が多く、また、一部屋にも複数冊の目次本が用意されているため、目次本一冊ごとに無貼着状態の台紙を探しながら上述した新譜情報記載シートを貼り付ける作業が非常に煩雑なものとなっている。また、新譜情報記載シートは裏面全面に粘着剤を配して剥離紙により保護したタック紙形式のものであり、新譜情報記載シートの貼り付けに際して多量の剥離紙が廃棄物として生じるという問題がある。
そこで本発明は上記課題を考慮してなされたもので、定期的、或いは不定期に配布される新譜情報記載シートを一ヶ所にまとめることができるようにすることを課題とし、その新譜情報記載シートのセットが簡単に行えるとともに、剥離紙からなる廃棄物の削減が行えるようにすることを目的とするものである。
【０００４】
【課題を解決するための手段】
本発明は上記課題を考慮してなされたもので、綴じ合わされた表紙と本文との間に見開きからなる月間新譜情報掲載用の台紙が設けられ、該台紙に新譜情報を記載した複数枚の新譜情報記載シートが配されているカラオケ選曲用目次本を作成するにあたり、前記新譜情報記載シートは、それぞれ台紙綴じ元側となる辺に沿った裏面に帯状の粘着剤が施されていて、前記粘着剤の辺が重なるようにして最下位から掲載月情報の順にして新譜情報記載シートを重ね合わせたときの粘着剤の辺とは反対側の辺が階段状に表出し、該表出部分に掲載月情報が表示されていて、前記掲載月情報による重ね合わせ順で最下位となる新譜情報記載シートを、該シートの粘着剤側の辺を台紙の綴じ元側にして粘着剤により台紙に貼り合わせた後、掲載月情報の順で、下位の新譜情報記載シートの粘着剤側の辺に上位の新譜情報記載シートの粘着剤側の辺を粘着剤を介して重ねて貼り合わせるようにして、前記最下位の新譜情報記載シートの上に順次、新譜情報記載シートを綴じることを特徴とするカラオケ選曲用目次本の作成方法を提供して、上記課題を解消するものである。
【０００５】
【発明の実施の形態】
つぎに本発明を図１から図３に示す実施の形態に基づいて詳細に説明する。
図中１はカラオケ選曲用目次本で、該目次本１は、図１に示すように曲名、歌い出しの歌詞、歌手名、リクエスト番号などの情報を記載した選曲情報記載部（図示せず）を両面に有する枚葉を複数重ね合わせて本文２とし、この本文２を表紙３と裏表紙４との間に位置させて綴じ合わせた冊子形態としたものである。そして、前記表紙３と本文２との間には見開きからなる一枚の台紙５が位置していて、この台紙５に三枚の新譜情報記載シート６が見開き可能にして綴じ合わされている。
【０００６】
上記新譜情報記載シート６それぞれは、本文２と同じように曲名、歌い出しの歌詞、歌手名、リクエスト番号などからなる選曲情報記載部７を両面に有しており、この選曲情報記載部７は例えば月間の新譜情報が記載されているものである。そして、新譜情報記載シート６は、先月分のシートの上に今月分のシートが位置するように順に月ごとに上位に重ねられており、台紙５の綴じ元側に綴じ合わされている。
シート６相互の綴じ合わせ及び最下位のシート６による台紙５への綴じ合わせは粘着剤により行われているもので、綴じ合わせ前の状態において、予めシート６それぞれの同一側の辺の裏面、即ち、綴じ元側の辺の裏面には帯状にして粘着剤８が施され、図３に示すようにこの帯状の粘着剤８をテープ状の剥離紙９で覆っている。そして、月ごとに配布される新譜情報記載シート６において、最初に配布された新譜情報記載シート６はテープ状の剥離紙９を剥ぎ取り、表出した粘着剤８のある辺を台紙５の綴じ元側となるようにしてその粘着剤８により貼り合わせ、つぎに配布されたシート６は、同様に剥離紙９を剥ぎ取ってから同一側の辺を、先に貼ったシート６の綴じ部分に重なるようにして貼り合わせ、そのつぎのシート６も同様にして貼り合わせるようにするもので、三枚のシート６が同一辺側を綴じ合わせ部１０として台紙５に見開き可能な状態にして綴じ合わされる。
【０００７】
さらに上記新譜情報記載シート６にあっては、下位に位置する所望のシート６の選曲情報記載部７を見易くするための工夫がなされている。即ち、新譜情報記載シート６の綴じ合わせ部１０と反対側の辺１１の全体が階段状に表出して、該表出部１２にシート６それぞれの掲載月情報１３が表示されている。このように三枚の新譜情報記載シート６の一辺が階段状に表出しているため、シート６それぞれの捲りが容易になるとともに、表出部１２に掲載月情報１３が示されていることから、所望の掲載月情報のシート６を見付け易くなり、そのシート６の選曲情報記載部７が確認し易くなる。
なお、図示した例では掲載月情報が新しくなるに従って新譜情報記載シート６の幅寸法を段階的に小さくすることで反対側の辺全体が階段状に表出するようにしたが、本発明はこの例に限定されるものではなく、反対側の辺の一部分が階段状に表出するようにしてもよいものである。また、新譜情報記載シートが月ごとに配布される例を示したが、このシートが不定期に配布されるものであってもよい。
【０００８】
【発明の効果】
以上説明したように本発明のカラオケ選曲用目次本の作成方法によれば、綴じ合わされた表紙と本文との間に見開きからなる月間新譜情報掲載用の台紙が設けられ、該台紙に新譜情報を記載した複数枚の新譜情報記載シートが配されているカラオケ選曲用目次本を作成するにあたり、前記新譜情報記載シートは、それぞれ台紙綴じ元側となる辺に沿った裏面に帯状の粘着剤が施されていて、前記粘着剤の辺が重なるようにして最下位から掲載月情報の順にして新譜情報記載シートを重ね合わせたときの粘着剤の辺とは反対側の辺が階段状に表出し、該表出部分に掲載月情報が表示されていて、前記掲載月情報による重ね合わせ順で最下位となる新譜情報記載シートを、該シートの粘着剤側の辺を台紙の綴じ元側にして粘着剤により台紙に貼り合わせた後、掲載月情報の順で、下位の新譜情報記載シートの粘着剤側の辺に上位の新譜情報記載シートの粘着剤側の辺を粘着剤を介して重ねて貼り合わせるようにして、前記最下位の新譜情報記載シートの上に順次、新譜情報記載シートを綴じることを特徴とするものであり、一枚の台紙に対して複数枚の新譜情報記載シートを見開き可能にした状態で組み合わせたものとなり、目次本一冊に対して多くの台紙を用意することなく、複数枚の新譜情報記載シートを一体にさせることができるとともに、新譜情報記載シートは重ね合わせるようにしているため、新たな新譜情報記載シートを組み合わせる際には単に前回のシート上に重ねるようにするだけでよく、特に貼り合わせすべき頁を探し出す必要がない。さらに新譜情報記載シートを綴じ合わせる粘着剤を帯状にしているため、シート貼り合わせ後に不要となる剥離紙の量が大幅に削減される。そして、新譜情報記載シートの一辺が階段状となって表出しているため、目的とする新譜情報記載シートを見付け出し易いなど、実用性に優れた効果を奏するものである。
【図面の簡単な説明】
【図１】本発明に係るカラオケ選曲用目次本の作成方法よりなる一例を示す説明図である。
【図２】一例を断面で示す説明図である。
【図３】新譜情報記載シートを示す説明図である。
【符号の説明】
１…カラオケ選曲用目次本
５…台紙
６…新譜情報記載シート
７…選曲情報記載部
８…粘着剤
９…剥離紙
１２…表出部
１３…掲載月情報
【図１】
0004471327.tif 000002
【図２】
0004471327.tif 000003
【図３】
0004471327.tif 000004